(57)【特許請求の範囲】
【請求項１】
人体から放射される熱線を検知する人体検知センサと、発光ダイオードからなる光源と、前記人体検知センサにより人体が検知されたとき、前記光源を通常より明るさの低い低点灯状態を経て通常点灯状態となるよう点灯制御する制御手段を備え、前記制御手段は、前記光源への電力供給路に設けられるとともに前記光源の近傍に配置され前記光源の点灯照度が大きくなるにつれて抵抗値が小さくなる光電素子を備えていることを特徴とする熱線センサ付ライト。
【請求項２】
周囲の明るさを検知する明るさセンサを設け、前記明るさセンサの検知した周囲の明るさが所定値よりも暗いとき、前記人体検知センサの検知結果にかかわらず前記光源を点灯させる点灯手段を備えたことを特徴とする請求項１記載の熱線センサ付ライト。
【発明の詳細な説明】
【０００１】
【発明の属する技術分野】
本発明は、人体から放射される熱線を検出して光源をオンオフさせる熱線センナ付ライトに関するものである。
【０００２】
【従来の技術】
このような熱線センサ付ライトは所定の検知領域において、人体から放射される熱線を検知し、その検知信号に基づいて光源の発光を制御するもので、廊下などの壁面に埋め込まれ、人の往来を検知して自動的に光源を点灯、消灯させるのに用いられる。
【０００３】
【発明が解決しようとする課題】
しかしながら、従来の熱線センサ付ライトは、熱線センサが人の往来を検知して光源が点灯する際、一度に通常の点灯状態となり点灯するためまぶしい場合がある。
【０００４】
本発明は上記事由に鑑みて為されたものであり、その目的はまぶしさの防止を図る熱線センサ付ライトを提供することにある。
【０００５】
【課題を解決するための手段】
上記課題を解決するために、請求項１の発明は、人体から放射される熱線を検知する人体検知センサと、発光ダイオードからなる光源と、前記人体検知センサにより人体が検知されたとき、前記光源を通常より明るさの低い低点灯状態を経て通常点灯状態となるよう点灯制御する制御手段を備え、前記制御手段は、前記光源への電力供給路に設けられるとともに前記光源の近傍に配置され前記光源の点灯照度が大きくなるにつれて抵抗値が小さくなる光電素子を備えていることを特徴としており、人体が検知されたときに急に通常点灯状態とならないので、人体検知センサにより検知された人が驚いたり、まぶしさを感じたりすることを防止できる。
【０００６】
また、容易に低点灯状態を経て通常点灯状態となるよう点灯制御されることが可能となる。
【００１４】
また、請求項２の発明は、請求項１の発明において、周囲の明るさを検知する明るさセンサを設け、前記明るさセンサの検知した周囲の明るさが所定値よりも暗いとき、前記人体検知センサの検知結果にかかわらず前記光源を点灯させる点灯手段を備えたことを特徴としており、周囲が暗いときに周りが見えなくなってしまうことを防止できる。
【００１５】
【発明の実施の形態】
（参考例１）
図面を参照して本発明の参考例を説明する。図２は熱線センサ付ライトの構造を示す側面図であり、図３はカバーをはずした状態での上面図である。図２、図３において、合成樹脂製のボディ１とカバー２を組立結合して器体が構成される。この器体内には、後述する発光回路部および制御回路部を実装した２枚のプリント基板１０ａ，１０ｂが収納されている。発光回路部、制御回路部のうち、焦電素子を具備して人体から放射される熱線を検知する人体検知センサ３と、Ｃｄｓのような光電変換素子を具備して周囲の明るさを検知する明るさセンサ４と、５つの発光ダイオード（ＬＥＤ）５ａ〜５ｅからなる光源５は、上面側のプリント基板１０ａ上に実装されている。
【００１６】
このボディ１にはその開口部を覆うカバー２が取り付けられている。ここで、カバー２の対向する一対の側面から垂下した４つの係止脚２ｄに設けたボディ係止孔２ｅをボディ１の係止突起１ｂに各々係止させて、ボディ１とカバー２を結合させている。カバー２の上記人体検知センサ３、明るさセンサ４の配置位置と対応する部分にはセンサ窓が設けられ、このセンサ窓がレンズ１１により閉塞されている。また、カバー２の上記光源５と対応する部分は開口しており、その開口部は透光性樹脂からなるセード１２により覆われている。
【００１７】
このように構成された熱線センサ付ライトは、取付枠に取り付けられて壁などに埋込配線される。図４に取付枠に取り付けたときの上面図を示し、図５に側面図を図６に背面図を示す。取付枠としては、例えばＪＩＳで規格化されている大角形連用配線器具の取付枠（ＪＩＳＣ８３７５参照）がある。図に示すように、取付枠に対して短軸方向に３個まで並べて取り付けることのできる単位寸法の２個分の寸法に器体が形成された熱線センサ付ライトＡと、上記単位寸法の１個分の寸法に形成されたコンセントＢを一連の金属製の取付枠５０に取り付けている。
【００１８】
この取付枠５０は、中央に取付孔を有する矩形枠状に形成されており、長手方向に対向する取付片５１に図示しない埋込ボックスに取り付けるためのボックスねじ用の長孔５２と、壁を構成する石膏ボードなどに取り付けるための従来周知のはさみ金具（図示せず）が取着される取着孔５３と、前面にプレート枠（図示せず）などを取り付けるためのプレートねじ用のねじ孔５４とが少なくとも設けてある。また、取付枠５０の取付孔両側の各側片５５には固定爪（図示せず）と可動爪５６とが設けてある。ここで、熱線センサ付ライトの両側部に配置した組立枠（図示せず）のそれぞれに設けられた係合孔の一方に固定爪を挿入したのち、可動爪６６を他方の係合孔に押し込んで係止することで熱線センサ付ライトＡを取付枠５０に容易に取り付けることができる。
【００１９】
このように、取付枠に対して短軸方向に３個まで並べて取り付けることのできる単位寸法の２個分の寸法に器体が形成してあるため、取付枠５０の残りの１個分の単位寸法の空間にコンセントＢやスイッチ、モジュラージャックなどの他の配線器具（大角連用形配線器具）を取り付けることができ、取付枠５０によって他の配線器具と容易に並設できる。
【００２０】
次に、図１を用いて熱線センサ付ライトの上記発光回路部と制御回路部の構成を説明する。制御回路部６は、交流電源ＡＣに接続された電源回路１５からの電力を基に定電圧を出力する定電圧回路１６と、定電圧回路１６より定電圧を供給される上記明るさセンサ４、人体検知センサ３と、明るさセンサ４の検知結果をもとに周囲が所定の明るさより暗いか否かを判定する、あるいは人体検知センサ３の検知結果を基に人体が存在するか否かを判定する判定部１７と、判定部１７により人体が検知されたときに所定時間を計時するタイマ回路１８と、判定部１７あるいはタイマ回路１８の出力に基づいて所定のパルス信号を出力するパルス出力回路１９とにより構成される。
【００２１】
一方発光回路部７は、上記電源回路１５より電力が供給される上記光源５と、光源５の電力供給路に設けられ上記パルス出力回路１９より出力されるパルス信号に基づいてスイッチングするスイッチング素子２０とにより構成される。
【００２２】
このように構成された熱線センサ付ライトは、人体検知センサ３により人体が検知されたときに、光源５を点灯させるものである。ここで、熱線センサ付ライトの動作を説明する。本参考例では図７（ｄ）に示すように、光源５の点灯照度を変化させており、パルス出力回路１９から出力されるパルス信号を図７（ａ）〜（ｃ）に示すような信号とすることで実現できる。
【００２３】
まず、図７（ａ）の場合について説明する。時刻ｔ１から時刻ｔ２までは、明るさセンサ４の出力に基づいて判定部１７により周囲が暗いと判定された状態であり、所定のパルス幅のパルス信号が出力されて光源５が微点灯する（常夜点灯）。これにより、夜などの暗い状態で何も見えない状態を回避でき、また冷たい感じも受けなくなる。
【００２４】
時刻ｔ２となり人体検知センサ３の出力に基づいて判定部１７が人体を検知したと判定すると、パルス信号のパルス幅を徐々に増加していき、光源５の点灯照度が増加してく。そして、一定時間経過した時刻ｔ３でパルス信号のパルス幅は最大で一定の点灯照度となり通常点灯状態となる。
【００２５】
すなわち、人体が検知されたとき、通常より明るさの低い低点灯状態（時刻ｔ２から時刻ｔ３）を経て通常点灯状態（時刻ｔ３から時刻ｔ４）となる。このように、低点灯状態（ソフト点灯状態）を経て通常点灯状態となるため、急に通常点灯状態となるのに比べて、熱線センサ付ライト近傍を通過するなどして検知された人がまぶしさを感じることがなくまた驚くこともない。
【００２６】
そして、人体が検知された時刻ｔ２からタイマ回路１８により計時された所定時間を経過した時刻ｔ４となると、通常点灯状態より明るさの低い減光状態を経て微点灯状態に移行すべく、パルス信号のパルス幅の短い減光状態とし、時刻ｔ５で時刻ｔ１から時刻ｔ２までと同様の微点灯状態とする。このように、通常点灯状態が終了するときに一旦減光状態（時刻ｔ４から時刻ｔ５）とさせることにより、急に微点灯状態となることがなく、熱線センサ付ライト近傍を通過するなどして検知された人が驚くことを防止できる。時刻ｔ６は周囲の明るさが明るくなった状態であり、微点灯状態から消灯状態に移行する。
【００２７】
ここで、判定部１７、タイマ回路１８、パルス出力回路１９、スイッチング素子２０により、低点灯状態を経て通常点灯状態となるよう点灯制御する制御手段が構成される。また、同じく判定部１７、タイマ回路１８、パルス出力回路１９、スイッチング素子２０により減光手段が構成されるとともに、点灯手段が構成される。
【００２８】
また、図７（ｂ）は図７（ｄ）に示した点灯照度の変化をパルス出力回路１９から出力されるパルス信号のパルス密度を変化させることで実現した例を示しており、図７（ｃ）は上記パルス信号のパルス振幅を変化させることで実現している。このようにパルス振幅を変化させるためには、図８に示すようにパルス出力回路１９から出力されるパルス信号を増幅して光源５に出力する増幅回路２１を設けてやればよい。
【００２９】
また、図９は通常点灯状態と減光状態のみを備えた場合におけるパルス出力回路１９から出力されるパルス信号を示しており、パルス幅をかえることで減光状態を実現している。この減光状態により人体を検知したときの通常点灯状態から急に消灯状態となり、その人が驚くことを防止できるとともに、急に何も見えなくなってしまうのを防止できる効果がある。
【００３０】
（参考例２）
次に、熱線センサ付ライトの他の参考例を説明する。本参考例の熱線センサ付ライトの構造は、図２、図３と同様のためその説明を省略する。図１０は、熱線センサ付ライトの発光回路部と制御回路部の構成を示している。図１０では光源５を５つのブロック２５ａ〜２５ｅに分けて各ブロックを個別に点灯制御している。各ブロック２５ａ〜２５ｅは図３で示す発光ダイオード５ａ〜５ｅに対応する。本参考例の発光回路部７ｂは、その光源５と各ブロック２５ａ〜２５ｅを点灯制御するスイッチング素子２０ａ〜２０ｅにより構成される。上記各ブロック２５ａ〜２５ｅは直列接続されており、ブロック２５ａの一端は電源回路１５と接続され、他端はブロック２５ｂの一端と接続されるとともに、スイッチング素子２０ｂを介してグランドに接続される。
【００３１】
また、ブロック２５ｂの他端はブロック２５ｃの一端と接続されるとともに、スイッチング素子２０ｃ、スイッチング素子２０ａを介してグランドに接続される。そして、ブロック２５ｃの他端は、ブロック２５ｄの一端と接続されるとともに、スイッチング素子２０ｄを介してグランドに接続される。そしてまた、ブロック２５ｄの他端は、ブロック２５ｅの一端に接続されるとともに、スイッチング素子２０ｅ、スイッチング素子２０ａを介してグランドに接続される。また、ブロック２５ｅの他端はスイッチング素子２０ａを介してグランドに接続される。
【００３２】
一方、制御回路部６ｂは、図１での制御回路部６のパルス出力回路１９に換えて上記各スイッチング素子２０ａ〜２０ｅの制御信号を出力する出力回路２２を備えた構成となっている。
【００３３】
次に動作説明を行う。図１１に出力回路２２から各スイッチング素子２０ａ〜２０ｅに出力される各信号Ｓ１〜Ｓ５と光源５の点灯照度を表すタイムチャートを示す。
【００３４】
まず、時刻ｔ１１から時刻ｔ１２までは、明るさセンサ４の出力に基づいて判定部１７により周囲が暗いと判定された状態であり、信号Ｓ２が出力回路２２より出力され、スイッチング素子２０ｂがオンする。これにより、ブロック２５ａのみが点灯して、光源５が微点灯することになる（常夜点灯）。
【００３５】
時刻ｔ１２となり人体検知センサ３の出力に基づいて判定部１７が人体を検知したと判定すると、時刻ｔ４までの一定時間信号Ｓ１が出力されるとともに、時刻ｔ３までに信号Ｓ３，Ｓ４，Ｓ５が順次出力される。この信号Ｓ３が出力されている間（時刻ｔ１２から時刻ｔ１２１の間）は、スイッチング素子２０ａ，２０ｃがオンしており、ブロック２５ａ，２５ｂが点灯する。また、信号Ｓ４が出力されている間（時刻ｔ１２１から時刻ｔ１２２の間）は、ブロック２０ａ，２０ｂ，２０ｃが点灯しており、信号Ｓ５が出力されている間（時刻ｔ１２２から時刻ｔ１３の間）は、ブロック２０ａ〜２０ｄが点灯する。
【００３６】
そして、時刻ｔ１３から時刻ｔ１４までの間は、信号Ｓ１のみが出力されており、光源５の全ブロック２５ａ〜２５ｅが点灯する通常点灯状態となる。すなわち、人体が検知されたとき、通常より明るさの低い低点灯状態（時刻ｔ１２から時刻ｔ１３）を経て通常点灯状態（時刻ｔ１３から時刻ｔ１４）となる。このように、低点灯状態（ソフト点灯状態）を経て通常点灯状態となるため、急に通常点灯状態となるのに比べて、熱線センサ付ライトを通過した人がまぶしさを感じることがなく、驚くこともない。
【００３７】
そして、人体が検知された時刻ｔ１２から所定時間経過した時刻ｔ１４となると、通常点灯状態より明るさの低い減光状態を経て微点灯状態に移行すべく、時刻ｔ１５までの間、信号Ｓ３〜Ｓ５が出力されて、ブロック２５ａ，２５ｂ，２５ｃが点灯し（減光状態）、時刻ｔ１５で信号Ｓ２のみが出力されて時刻ｔ１１から時刻ｔ１２までの間と同様ブロック２５ａのみが点灯する微点灯状態となる。このように、通常点灯状態が終了するときに一旦減光状態（時刻ｔ１４から時刻ｔ１５）とさせることにより、急に微点灯状態となることがなく、熱線センサ付ライトを通過した人が驚くことを防止できる。時刻ｔ１６は周囲の明るさが明るくなった状態であり、微点灯状態から消灯状態に移行する。
【００３８】
ここで、各スイッチング素子２０ａ〜２０ｅ、出力回路２２、判定部１７、タイマ回路１８により、発光ダイオードからなる光源５の点灯数を変化させることで低点灯状態から通常点灯状態に変化させる制御手段を構成するとともに、同様に減光手段および点灯手段を構成している。
【００３９】
なお、上述した例において、光源５の各ブロック２５ａ〜２５ｅ毎に発光色をかえて、同様に各ブロック２５ａ〜２５ｅ毎を点灯制御するようにすることで、通常点灯状態や低点灯状態などの各状態の変化が明確に現れることになるとともに、視覚的にも美しくなる。
【００４０】
（実施形態）
次に、熱線センサ付ライトの実施形態を説明する。本実施形態で図３の参考例と異なる点は、図１２に示すように光源５の近傍に光電素子３０が配置されている点である。
【００４１】
本実施形態における発光回路部と制御回路部の構成を図１３に示す。発光回路部５ｃは、図１における光源５とスイッチング素子２０の間に光電素子３０が直列接続されている。すなわち、光電素子３０が光源５への電力供給路に設けられている。また、制御回路部７ｃにおいて、図１と異なる点は、パルス出力回路１９にかえて、タイマ回路１８の出力に基づいてスイッチング素子２０をオンオフするオンオフ信号を出力する出力回路２３が設けられている点である。
【００４２】
次に、図１４を用いて動作を説明する。図１４は、出力回路２３からスイッチング素子２０に出力されるオンオフ信号と、光電素子３０の抵抗値と、光源５の点灯照度を示したタイムチャートである。図１４は、明るさセンサ４に基づいて判定部１７により周囲が暗いと判定された場合を示しており、周囲が明るい場合は光源５の点灯を行わない。
【００４３】
時刻ｔ２１で、判定部１７により人体が検知されたとき、タイマ回路１８で計時された一定時間（時刻ｔ２１から時刻ｔ２２）の間、出力回路２３はスイッチング素子２０をオンする信号を出力する。この時刻ｔ２１でスイッチング素子２０がオンされると、光電素子３０の抵抗値が徐々に小さくなるとともに、光源５の点灯照度が徐々に大きくなり時刻ｔ２３で通常点灯状態となる。すなわち、通常より明るさの低い低点灯状態を経て通常点灯状態となり、上記各参考例と同様の効果が得られる。
【００４４】
このように、光源５の点灯照度が徐々に大きくなる理由は、スイッチング素子２０がオンした瞬間は光源５が点灯していないため、光源５の近傍に配置される光電素子３０の抵抗値が大きく光源５に流れる電流が小さい。しかし、光源５が点灯すると、その明るさを受けて光電素子３０の抵抗値が小さくなり、光源５が明るくなる。この繰り返しにより光源５は徐々に明るくなっていくのである。
【００４５】
（参考例３）
次に、熱線センサ付ライトの第３の参考例を説明する。本参考例で実施形態と異なる点は、図１５に示すようにセード１２（図２に示す）に液晶フィルタ２７を装着している点であり、さらに図１３に示す制御回路部６ｃに対して、図１６に示すように、制御回路部６ｄは判定部１７の判定結果を基に液晶フィルタ２７への印加電圧を出力する液晶フィルタ出力回路２８を備えている点も異なる。
【００４６】
本参考例での動作を説明する。図１７は、液晶フィルタ出力回路２８の出力電圧と光源５の点灯照度を示したタイムチャートである。時刻ｔ３１から時刻ｔ３２までは、周囲が暗い状態で人体の検知されていない状態であり、液晶フィルタ回路２８の出力電圧は低く、そのためセード１２から液晶フィルタ２７を介して外部に出される光源の光は少なく（点灯照度は小さく）微点灯状態である。
【００４７】
時刻ｔ３２で人体が検知されると徐々に液晶フィルタ２７への印加電圧が上昇し、すなわち点灯照度が上昇し、時刻ｔ３３で通常点灯状態となる。つまり、通常より明るさの低い低点灯状態を経て通常点灯状態となり、上記各参考例および実施形態と同様の効果が得られる。
【００４８】
そして人体が検知されてから一定時間が経過した時刻ｔ３４では、液晶フィルタへの印加電圧が減少した減光状態となり、時刻ｔ３５で液晶フィルタ２７への印加電圧がさらに低くなり再度微点灯状態となって、周囲が明るくなる時刻ｔ３６で印加電圧が０となって消灯状態となる。ここで、スイッチング素子２０、液晶フィルタ出力回路２８、判定部１７、タイマ回路１８、出力回路２３により制御手段が構成される。また、減光状態、微点灯状態とすることによって得られる効果は、上述した各参考例および実施形態と同様である。
【００４９】
ところで、上述した各参考例および実施形態で示した減光状態、微点灯状態を実現させる他の構成例を次に示す。
【００５０】
図１８は減光状態を実現するための発光回路部と制御回路部の構成を示したものであり、発光回路部７ｅは抵抗３５ａとスイッチング素子３６ａの直列回路と抵抗３５ｂとスイッチング素子３６ｂの直列回路とを並列接続したものを光源５に直列に接続している。また、制御回路部６ｅは図１３の制御回路部６ｃに対して、出力回路２３の出力を受けてスイッチング素子３６ｂのオンオフ信号を出力する回路であり、オン信号は出力回路２３からスイッチング素子３６ａに出力されるオン信号と同時に出力するが、オフ信号をスイッチング素子３６ａのオフ信号より遅延させる遅延回路３４が新たに設けられた構成となっている。
【００５１】
その動作は図１９に示すとおりであり、時刻ｔ４１で人体が検知されると、スイッチング素子３６ａ，３６ｂにオン信号が出力されて光源５が点灯し、一定のタイマ時間が経過した時刻ｔ４２では、スイッチング素子３６ａにオフ信号が出力される。これにより、光源５に流れる電流が制御され、スイッチング素子３６ｂにオフ信号が出力される時刻ｔ４３まで通常より減光（点灯照度５０％）した減光状態となる。
【００５２】
一方、図２０は微点灯状態を実現するための発光回路部と制御回路部の構成を示したものであり、図１８と異なる点は、判定部１７の出力をうけて周囲の明るさが暗いときにスイッチング素子３６ｂのオン信号を出力する明るさ出力回路３８を遅延回路３４にかえて新たに設けた点である。
【００５３】
その動作は、図２１に示すとおりであり、周囲が暗い時刻ｔ５１から時刻ｔ５４までの状態で、明るさ出力回路３８よりスイッチング素子３６ｂへオン信号が出力され、人体が検知された時刻ｔ５２から一定のタイマ時間を経過した時刻ｔ５３まで出力回路２３よりスイッチング素子３６ａへのオン信号が出力される。これにより、光源５に流れる電流が制御され、時刻ｔ５２から時刻ｔ５３の間で通常点灯状態となり、時刻ｔ５１から時刻ｔ５４までの間のその他の時間は微点灯状態が実現できる。
【００５４】
【発明の効果】
上述したように、請求項１の発明は、人体から放射される熱線を検知する人体検知センサと、発光ダイオードからなる光源と、前記人体検知センサにより人体が検知されたとき、前記光源を通常より明るさの低い低点灯状態を経て通常点灯状態となるよう点灯制御する制御手段を備え、前記制御手段は、前記光源への電力供給路に設けられるとともに前記光源の近傍に配置され前記光源の点灯照度が大きくなるにつれて抵抗値が小さくなる光電素子を備えているため、人体が検知されたときに急に通常点灯状態とならないので、人体検知センサにより検知された人が驚いたり、まぶしさを感じたりすることを防止できる。
【００５５】
また、容易に低点灯状態を経て通常点灯状態となるよう点灯制御されることが可能となる。
【００６３】
また、請求項２の発明は、請求項１の発明において、周囲の明るさを検知する明るさセンサを設け、前記明るさセンサの検知した周囲の明るさが所定値よりも暗いとき、前記人体検知センサの検知結果にかかわらず前記光源を点灯させる点灯手段を備えたため、周囲が暗いときに周りが見えなくなってしまうことを防止できる。
【図面の簡単な説明】
【図１】  参考例１の回路構成を示すブロック図である。
【図２】  同上の構造を示す側面図である。
【図３】  同上の構造を示す上面図である。
【図４】  同上の取付枠に取り付けた状態を示す上面図である。
【図５】  同上の取付枠に取り付けた状態を示す側面図である。
【図６】  同上の取付枠に取り付けた状態を示す背面図である。
【図７】  同上の動作を示す図であって、（ａ）（ｂ）（ｃ）（ｄ）はいずれもタイムチャートである。
【図８】  同上の他の構成を示すブロック図である。
【図９】  通常点灯状態と減光状態を示すタイムチャートである。
【図１０】  参考例２の構成を示すブロック図である。
【図１１】  同上の動作を示すタイムチャートである。
【図１２】  実施形態の構造を示す上面図である。
【図１３】  同上の構成を示すブロック図である。
【図１４】  同上の動作を示すタイムチャートである。
【図１５】  参考例３の構造を示す側面図である。
【図１６】  同上の構成を示すブロック図である。
【図１７】  同上の動作を示すタイムチャートである。
【図１８】  減光状態を実現させる手段を示すブロック図である。
【図１９】  同上の動作を示すタイムチャートである。
【図２０】  微点灯状態を実現させる手段を示すブロック図である。
【図２１】  同上の動作を示すタイムチャートである。
【符号の説明】
３  人体検知センサ
４  明るさセンサ
５  光源
６  制御回路部
７  発光回路部
１６  定電圧回路
１７  判定部
１８  タイマ回路
１９  パルス出力回路
２０  スイッチング素子
【図１】
0003991544.tif 000002
【図２】
0003991544.tif 000003
【図３】
0003991544.tif 000004
【図４】
0003991544.tif 000005
【図５】
0003991544.tif 000006
【図６】
0003991544.tif 000007
【図７】
0003991544.tif 000008
【図８】
0003991544.tif 000009
【図９】
0003991544.tif 000010
【図１０】
0003991544.tif 000011
【図１１】
0003991544.tif 000012
【図１２】
0003991544.tif 000013
【図１３】
0003991544.tif 000014
【図１４】
0003991544.tif 000015
【図１５】
0003991544.tif 000016
【図１６】
0003991544.tif 000017
【図１７】
0003991544.tif 000018
【図１８】
0003991544.tif 000019
【図１９】
0003991544.tif 000020
【図２０】
0003991544.tif 000021
【図２１】
0003991544.tif 000022